(57)【要約】【課題】  本発明は、化粧用として許容される有機液体媒質、非揮発性シリコーンオイルおよび皮膜形成性ブロックエチレン系ポリマーを含む化粧品組成物に関する。【解決手段】ブロックポリマーと、非揮発性液体脂肪相を含み化粧用として許容される有機液体媒質とを含む化粧品組成物であって、(i)前記ブロックポリマーが皮膜形成性の線状エチレン系ポリマーであり、(ii)前記非揮発性液体脂肪相が、非揮発性シリコーンオイルを、前記非揮発性液体脂肪相の全重量に対して少なくとも30重量%含むことを特徴とする。【選択図】なし【特許請求の範囲】
【請求項１】
ブロックポリマーと、非揮発性液体脂肪相を含み化粧用として許容される有機液体媒質とを含む化粧品組成物であって、
-前記ブロックポリマーが皮膜形成性の線状エチレン系ポリマーであり、
-前記非揮発性液体脂肪相が、非揮発性シリコーンオイルを、前記非揮発性液体脂肪相の全重量に対して少なくとも30重量%含む
ことを特徴とする組成物。
【請求項２】
前記ブロックポリマーがスチレンを含んでいないことを特徴とする請求項1に記載の組成物。
【請求項３】
前記ブロックポリマーがエラストマー的でないことを特徴とする請求項1または2に記載の組成物。
【請求項４】
前記ブロックポリマーは、ガラス転移温度(Tg)が異なる、少なくとも1つの第1ブロックと少なくとも1つの第2ブロックとを備え、前記の第1および第2ブロックは、第1ブロックの少なくとも1種の構成モノマーと、第2ブロックの少なくとも1種の構成モノマーとを含む中間ブロックにより互いに連結されていることを特徴とする請求項1から3のいずれか一項に記載の組成物。
【請求項５】
前記第1および第2ブロックが互いに非相容性であることを特徴とする請求項4に記載の組成物。
【請求項６】
前記ブロックポリマーの多分散度Iが2より大きいことを特徴とする請求項1から5のいずれか一項に記載の組成物。
【請求項７】
前記ブロックポリマーの前記第1ブロックが、
a)40℃以上のTgをもつブロック、
b)20℃以下のTgをもつブロック、
c)20℃と40℃の間のTgをもつブロック
から選択され、さらに前記第2ブロックが、前記第1ブロックと違えて、a)、b)またはc)類から選択されることを特徴とする請求項4から6のいずれか一項に記載の組成物。
【請求項８】
前記ブロックポリマーが、40℃以上のガラス転移温度(Tg)をもつ少なくとも1つの第1ブロックと、20℃以下のガラス転移温度をもつ少なくとも1つの第2ブロックを含むことを特徴とする請求項1または7に記載の組成物。
【請求項９】
前記第1ブロックの割合が、前記ポリマーの重量の20%から90%、より好ましくは30%から80%、さらに好ましくは50%から70%の範囲であることを特徴とする請求項8に記載の組成物。
【請求項１０】
20℃以下のTgをもつ前記第2ブロックの割合が、前記ポリマーの重量の5%から75%、より好ましくは15%から50%、さらに好ましくは25%から45%の範囲であることを特徴とする請求項8または9に記載の組成物。
【請求項１１】
前記ブロックポリマーが、20℃と40℃の間のガラス転移温度(Tg)をもつ少なくとも1つの第1ブロックと、20℃以下のガラス転移温度、あるいは、40℃以上のガラス転移温度をもつ、少なくとも1つの第2ブロックとを含むことを特徴とする請求項7に記載の組成物。
【請求項１２】
20℃と40℃の間のTgをもつ前記第1ブロックの割合が、前記ポリマーの重量の10%から85%、好ましくは30%から80%、さらに好ましくは50%から70%の範囲であることを特徴とする請求項11に記載の組成物。
【請求項１３】
前記第2ブロックが40℃以上のTgをもつことを特徴とする請求項11または12に記載の組成物。
【請求項１４】
40℃以上のTgをもつ前記第2ブロックの割合が、前記ポリマーの重量の10%から85%、好ましくは20%から70%、より好ましくは30%から70%の範囲であることを特徴とする請求項11から13のいずれか一項に記載の組成物。
【請求項１５】
前記第2ブロックが20℃以下のTgをもつことを特徴とする請求項11または12に記載の組成物。
【請求項１６】
20℃以下のガラス転移温度をもつ前記ブロックの割合が、前記ポリマーの重量の20%から90%、好ましくは30%から80%、より好ましくは50%から70%の範囲であることを特徴とする請求項7から10および15のいずれか一項に記載の組成物。
【請求項１７】
40℃以上のTgをもつ前記ブロックが1種または複数のモノマーから、全体として、あるいは、一部分として誘導され、かつ当該モノマーのホモポリマーのガラス転移温度が40℃以上で、特に40℃から150℃の範囲、好ましくは50℃以上で、特に50℃から120℃の範囲、好ましくは60℃以上で、特に60℃から120℃の範囲であることを特徴とする請求項7から14のいずれか一項に記載の組成物。
【請求項１８】
40℃以上のTgをもつ前記ブロックが、モノマーから誘導されるコポリマーであり、当該モノマーのホモポリマーのガラス転移温度が40℃以上であることを特徴とする請求項17に記載の組成物。
【請求項１９】
そのホモポリマーのガラス転移温度が40℃以上である前記モノマーが、以下のモノマー:
-式CH2=C(CH3)-C00R1のメタクリル酸エステル(R1は1から4個の炭素原子を含む無置換の線状または分岐アルキル基、例えば、メチル、エチル、プロピルまたはイソブチル基を表すか、あるいは、R1はC4からC12のシクロアルキル基を表す)、
-式CH2=CH-C00R2のアクリル酸エステル(R2はアクリル酸イソボルニル基のようなC4からC12のシクロアルキル基、あるいは、tert-ブチル基を表す)、
-次の式の(メタ)アクリルアミド:
【化１】
2005104979.tif 000008
(R7およびR8は同じであっても異なっていてもよく、それぞれ、水素原子、または、1から12個の炭素原子からなる線状もしくは分岐アルキル基、例えば、n-ブチル、t-ブチル、イソプロピル、イソヘキシル、イソオクチルもしくはイソノニル基を表すか;あるいは、R7がHを表し、R8が1,1-ジメチル-3-オキソブチル基を表し、R'はHまたはメチルを表す)
-ならびにこれらの混合物
から選択されることを特徴とする請求項17および18のいずれかに記載の組成物。
【請求項２０】
そのホモポリマーのガラス転移温度が40℃以上である前記モノマーが、メタクリル酸メチル、メタクリル酸イソブチルおよび(メタ)アクリル酸イソボルニル、ならびにこれらの混合物から選択されることを特徴とする請求項17から19のいずれか一項に記載の組成物。
【請求項２１】
40℃以上のTgをもつ前記ブロックがホモポリマーであることを特徴とする請求項7から17、19および20のいずれか一項に記載の組成物。
【請求項２２】
20℃以下のTgをもつ前記ブロックが1種または複数のモノマーから、全体として、あるいは、一部分として誘導され、当該モノマーのホモポリマーのガラス転移温度が20℃以下で、特に-100℃から20℃の範囲、好ましくは15℃以下で、特に-80℃から15℃の範囲、優先的には10℃以下で、特に-50℃から0℃の範囲であることを特徴とする請求項7から12、15および16のいずれか一項に記載の組成物。
【請求項２３】
そのホモポリマーのガラス転移温度が20℃以下である前記モノマーが、以下のモノマー:
-式 CH2=CHCOOR3のアクリル酸エステル(R3は、C1からC12で無置換の線状もしくは分岐アルキル基を表すが、tert-ブチル基は除外され、O、NおよびSから選択される1種または複数のヘテロ原子が任意選択で挿入されている)、
--式CH2=C(CH3)-C00R4のメタクリル酸エステル(R4は、C6からC12で無置換の線状もしくは分岐アルキル基を表し、O、NおよびSから選択される1種または複数のヘテロ原子が任意選択で挿入されている)、
-式 R5-CO-O-CH=CH2のビニルエステル(R5は、C4からC12の線状もしくは分岐アルキル基を表す)、
- C4からC12のアルキルビニルエーテル、例えば、メチルビニルエーテルおよびエチルビニルエーテル、
-N-(C4からC12)アルキルアクリルアミド、例えば、N-オクチルアクリルアミド、
-ならびにこれらの混合物
から選択されることを特徴とする請求項22に記載の組成物。
【請求項２４】
そのホモポリマーのガラス転移温度が20℃以下である前記モノマーが、そのアルキル鎖が、tert-ブチル基を除いて、1から10個の炭素原子を含むアクリル酸アルキルから選択されることを特徴とする請求項22または23に記載の組成物。
【請求項２５】
20℃以下のTgをもつ前記ブロックがホモポリマーであることを特徴とする請求項7から12、および、15から24のいずれか一項に記載の組成物。
【請求項２６】
そのホモポリマーのガラス転移温度が20℃と40℃の間である、1種または複数のモノマーから、全体として、あるいは、一部分として、20℃と40℃の間のTgをもつ前記ブロックが誘導されることを特徴とする請求項7、および11から25のいずれか一項に記載の組成物。
【請求項２７】
20℃と40℃の間のTgをもつ前記ブロックが、メタクリル酸n-ブチル、アクリル酸シクロデシル、アクリル酸ネオペンチルおよびイソデシルアクリルアミドから選択されるモノマーのホモポリマーであることを特徴とする請求項7、および11から26のいずれか一項に記載の組成物。
【請求項２８】
20℃と40℃の間のTgをもつ前記ブロックが、
-そのホモポリマーのTgが40℃以上で、特に、40℃から150℃の範囲、好ましくは50℃以上で、特に、50℃から120℃の範囲、さらに好ましくは60℃以上で、特に、60℃から120℃の範囲のTgをもつモノマー、および
-そのホモポリマーのTgが20℃以下で、特に、-100℃から20℃の範囲、好ましくは15℃以下で、特に、-80℃から15℃の範囲、優先的には10℃以下で、例えば、-50℃から0℃の範囲であるモノマー
から全体として、あるいは、一部分として、誘導されるコポリマーであることを特徴とする請求項7、および11から27のいずれか一項に記載の組成物。
【請求項２９】
20℃と40℃の間のTgをもつ前記ブロックが、メタクリル酸メチル、(メタ)アクリル酸イソボルニル、メタクリル酸トリフルオロエチル、アクリル酸ブチルおよびアクリル酸2-エチルヘキシル、ならびにこれらの混合物から選択されるモノマーから、全体として、あるいは、一部分として誘導されることを特徴とする請求項7、11から26、および28のいずれか一項に記載の組成物。
【請求項３０】
前記第1ブロックおよび/または前記第2ブロックが、少なくとも1種の追加モノマーを含むことを特徴とする請求項7から20、22から24、26、28および29のいずれか一項に記載の組成物。
【請求項３１】
前記追加モノマーが、親水性モノマー、1個または複数のケイ素原子を含むエチレン性不飽和モノマー、およびこれらの混合物から選択されることを特徴とする請求項30に記載の組成物。
【請求項３２】
前記追加モノマーが、
-少なくとも1つのカルボン酸もしくはスルホン酸官能基を含むエチレン性不飽和モノマー、
-式 CH2=C(CH3)-COOR6のメタクリル酸エステル(R6は、1から4個の炭素原子を含む線状もしくは分岐アルキル基を表し、前記アルキル基は、ヒドロキシル基およびハロゲン原子から選択される1つまたは複数の置換基で置換されている)、
-式 CH2=C(CH3)-COOR9のメタクリル酸エステル(R9は、O、NおよびSから選択される1種または複数のヘテロ原子が任意選択で挿入されている、C6からC12の線状もしくは分岐アルキル基を表し、前記アルキル基は、ヒドロキシル基およびハロゲン原子から選択される1つまたは複数の置換基で置換されている)、
-式 CH2=CH-COOR10のアクリル酸エステル(R10は、ヒドロキシル基およびハロゲン原子から選択される1つまたは複数の置換基で置換されている、C1からC12の線状もしくは分岐アルキル基を表すか、あるいは、R10は、5から30個のオキシエチレン繰返し単位をもつ、C1からC12のアルキル-O-POE(ポリオキシエチレン)を表すか、あるいは、R10は、5から30個のエチレンオキシド単位を含むポリオキシエチレン化基を表す)、
少なくとも1つの第3級アミン官能基を含むエチレン性不飽和モノマー、
-ならびにこれらの混合物
から選択されることを特徴とする請求項30または31に記載の組成物。
【請求項３３】
前記追加モノマーが、アクリル酸、メタクリル酸およびメタクリル酸トリフルオロエチル、ならびにこれらの混合物から選択されることを特徴とする請求項30から32のいずれか一項に記載の組成物。
【請求項３４】
前記追加モノマーが、前記第1および/または第2ブロックの全重量に対して、1重量%から30重量%を占めることを特徴とする請求項30から33のいずれか一項に記載の組成物。
【請求項３５】
前記第1および第2ブロックの各々が、(メタ) アクリル酸エステルから選択される少なくとも1種のモノマー、および任意選択で、(メタ) アクリル酸から選択される少なくとも1種のモノマー、ならびにこれらの混合物を含むことを特徴とする請求項7から34のいずれか一項に記載の組成物。
【請求項３６】
前記第1および第2ブロックの各々が、全体として、(メタ) アクリル酸エステルから選択される少なくとも1種のモノマー、および任意選択で、(メタ) アクリル酸から選択される少なくとも1種のモノマー、ならびにこれらの混合物から誘導されることを特徴とする請求項7から35の一項に記載の組成物。
【請求項３７】
前記ブロックポリマーがスチレンモノマーを含んでいないことを特徴とする請求項1から36のいずれか一項に記載の組成物。
【請求項３８】
前記第1および第2ブロックが、前記第1と第2ブロックとのガラス転移温度(Tg)の間の差が10℃を超え、好ましくは20℃を超え、優先的には30℃を超え、より優先的には40℃を超えるようなものであることを特徴とする請求項1から37のいずれか一項に記載の組成物。
【請求項３９】
前記中間ブロックのガラス転移温度が、前記第1および第2ブロックのガラス転移温度の間であることを特徴とする請求項1から38のいずれか一項に記載の組成物。
【請求項４０】
前記ブロックポリマーの多分散度が、2.5以上、好ましくは2.8以上で、好ましくは2.8と6の間であることを特徴とする請求項1から39のいずれか一項に記載の組成物。
【請求項４１】
前記ブロックポリマーが、300,000以下、好ましくは35,000から200,000の範囲、さらに好ましくは45,000から150,000の範囲の重量平均分子量(Mw)をもつことを特徴とする請求項1から40のいずれか一項に記載の組成物。
【請求項４２】
前記ブロックポリマーが、70,000以下、好ましくは10,000から60,000の範囲、さらに好ましくは12,000から50,000の範囲の数平均分子量(Mn)をもつことを特徴とする請求項1から41のいずれか一項に記載の組成物。
【請求項４３】
前記ブロックポリマーが、室温(25℃)で、pH調節なしでは、水中、あるいは、水と、2から5個の炭素原子を含む線状または分岐状低級1価アルコールとの混合物中に、活性物質含量が1重量%以上では溶けないことを特徴とする請求項1から42のいずれか一項に記載の組成物。
【請求項４４】
前記ブロックポリマーが、前記組成物の全重量に対して、0.1重量%から90重量%の範囲、好ましくは0.5重量%から50重量%の範囲、優先的には0.5重量%から30重量%の範囲の含量で存在することを特徴とする請求項1から43のいずれか一項に記載の組成物。
【請求項４５】
前記非揮発性シリコーンオイルが、非揮発性ポリジメチルシロキサン(PDMS);ペンダント状に、もしくはシリコーン鎖の末端に、アルキル、アルコキシもしくはフェニル基を含み、これらの基が2から24個の炭素原子を含むポリジメチルシロキサン;フェニルシリコーン;脂肪酸(特に、C8〜C20のもの)、脂肪アルコール(特に、C8〜C20のもの)またはポリオキシアルキレン(特に、ポリオキシエチレンおよび/またはポリオキシプロピレン)で修飾されたポリシロキサン;アミノシリコーン;ヒドロキシル基を含むシリコーン;1から12個の炭素原子を含み、その水素原子のいくらか、または全てがフッ素原子で置換されていて、ペンダント状に、もしくはシリコーン鎖の末端に存在するフルオロ基を含むフルオロシリコーン;ならびにこれらの混合物から選択されることを特徴とする請求項1から44のいずれか一項に記載の組成物。
【請求項４６】
前記非揮発性シリコーンオイルが非揮発性フェニルシリコーンオイルから選択されることを特徴とする請求項1から45のいずれか一項に記載の組成物。
【請求項４７】
前記非揮発性フェニルシリコーンオイルが、フェニルトリメチコン類、フェニルジメチコン類、フェニルトリメチルシロキシジフェニルシロキサン類、ジフェニルジメチコン類およびジフェニルメチルジフェニルトリシロキサン類、ならびにこれらの混合物から選択されることを特徴とする請求項46に記載の組成物。
【請求項４８】
非揮発性フェニルシリコーンオイルが、下の式(VI)のフェニルシリコーン:
【化２】
2005104979.tif 000009
(R1からR10は、互いに独立に、線状、環状もしくは分岐状で飽和もしくは不飽和のC1〜C30の炭化水素系の基であり、
m、n、pおよびqは、互いに独立に、和「m+n+q」が0ではないという条件で、0から900の間の整数である)
から選択され得ることを特徴とする請求項46および47のいずれかに記載の組成物。
【請求項４９】
-前記の和「m+n+q」が1と100の間であり、
-前記の和「m+n+p+q」が1と900の間、好ましくは1と800の間であり、
-qが0に等しい
ことを特徴とする請求項48に記載の組成物。
【請求項５０】
前記式(VI)のフェニルシリコーンオイルの25℃の粘度が、5と1500mm2/s(すなわち、5から1500cSt)の間、好ましくは5と1000mm2/s(すなわち、5から1000cSt)の間であることを特徴とする請求項48または49に記載の組成物。
【請求項５１】
前記非揮発性フェニルシリコーンオイルが、下の式(VII)のフェニルシリコーン:
【化３】
2005104979.tif 000010
(R1からR6は、互いに独立に、線状、環状もしくは分岐状で飽和もしくは不飽和のC1〜C30の炭化水素系の基であり、
m、n、およびpは、互いに独立に、和「m+n」が1と100の間であるという条件で、0と100の間の整数である)
から選択されることを特徴とする請求項46または47に記載の組成物。
【請求項５２】
R1からR6が、互いに独立に、線状もしくは分岐状の飽和C1〜C30、特にC1〜C12の炭化水素系の基であり、特に、メチル、エチル、プロピルまたはブチル基であることを特徴とする請求項51に記載の組成物。
【請求項５３】
R1からR6が、同じであって、メチル基であることを特徴とする請求項51または52に記載の組成物。
【請求項５４】
m=1または2または3、および/あるいは、n=0、および/あるいは、p=0または1、であることを特徴とする請求項51から53のいずれか一項に記載の組成物。
【請求項５５】
前記フェニルシリコーンオイルの重量平均分子量が、500と10,000の間であることを特徴とする請求項54に記載の組成物。
【請求項５６】
前記非揮発性シリコーンオイルが、前記非揮発性液体脂肪相の全重量に対して、30重量%から95重量%の範囲、好ましくは40重量%から85重量%の範囲、優先的には50重量%から80重量%の範囲の含量で存在することを特徴とする請求項1から55のいずれか一項に記載の組成物。
【請求項５７】
前記非揮発性シリコーンオイルが、前記組成物の全重量に対して、0.1重量%から70重量%の範囲、好ましくは1重量%から50重量%の範囲、優先的には1重量%から30重量%の範囲の含量で存在することを特徴とする請求項1から56のいずれか一項に記載の組成物。
【請求項５８】
非シリコーン系非揮発性オイルを含むことを特徴とする請求項1から57のいずれか一項に記載の組成物。
【請求項５９】
前記非シリコーン系非揮発性オイルが、流動パラフィン、スクワラン、水素添加ポリイソブチレン、ペルヒドロスクワレン、ミンク油、タートル油、大豆油、スイートアーモンドオイル、ビューティーリーフオイル、パーム油、ブドウ種油、ゴマ油、トウモロキシ油、アララ油、ナタネ油、ヒマワリ油、綿実油、アプリコットオイル、ヒマシ油、アボガド油、ホホバ油、オリーブ油または穀物胚芽油; ミリスチン酸イソプロピル、パルミチン酸イソプロピル、ステアリン酸ブチル、ラウリン酸ヘキシル、アジピン酸ジイソプロピル、イソノナン酸イソノニル、パルミチン酸2-エチルヘキシル、ラウリン酸2-ヘキシルデシル、パルミチン酸2-オクチルデシル、ミリスチン酸2-オクチルドデシルもしくは乳酸2-オクチルドデシル、コハク酸ビス(2-エチルヘキシル)、リンゴ酸ジイソステアリル、トリイソスアテリン酸グリセリルもしくはトリイソスアテリン酸ジグリセリル、ミリスチン酸、パルミチン酸、ステアリン酸、ベヘン酸、オレイン酸、リノール酸、リノレン酸もしくはイソステアリン酸;C16〜C22の脂肪アルコール; ならびにこれらの混合物から選択されることを特徴とする請求項58に記載の組成物。
【請求項６０】
前記非シリコーン系非揮発性オイルが、前記非揮発性液体脂肪相の全重量に対して、0.1重量%から70重量%の範囲、好ましくは0.5重量%から60重量%の範囲、優先的には1重量%から50重量%の範囲の含量で存在することを特徴とする請求項58または59に記載の組成物。
【請求項６１】
前記非シリコーン系非揮発性オイルが、前記組成物の全重量に対して、0.1重量%から60重量%の範囲、好ましくは0.5重量%から30重量%の範囲、優先的には1重量%から20重量%の範囲の含量で存在することを特徴とする請求項58から60のいずれか一項に記載の組成物。
【請求項６２】
揮発性オイルを含むことを特徴とする請求項1から61のいずれか一項に記載の組成物。
【請求項６３】
オクタメチルシクロテトラシロキサン、デカメチルシクロペンタシロキサン、ドデカメチルシクロヘキサシロキサン、ヘプタメチルヘキシルトリシロキサン、ヘプタメチルオクチルトリシロキサン、オクタメチルトリシロキサン、デカメチルテトラシロキサン、イソドデカン、イソデカンおよびイソヘキサデカンから選択される揮発性オイルを含むことを特徴とする請求項1から62のいずれか一項に記載の組成物。
【請求項６４】
前記揮発性オイルが、前記組成物の全重量に対して、0.1重量%から90重量%の範囲、好ましくは1重量%から70重量%の範囲、優先的には5重量%から50重量%の範囲の含量で存在することを特徴とする請求項62または63に記載の組成物。
【請求項６５】
ワックス、ペースト状脂肪物質およびガム、ならびにこれらの混合物から選択される、室温で固体の少なくとも1種の脂肪物質を含むことを特徴とする請求項1から64のいずれか一項に記載の組成物。
【請求項６６】
前記組成物の全重量に対して、0.1重量%から50重量%、より好ましくは1重量%から30重量%のワックスを含むことを特徴とする請求項1から65のいずれか一項に記載の組成物。
【請求項６７】
色素を含むことを特徴とする請求項1から66のいずれか一項に記載の組成物。
【請求項６８】
追加の皮膜形成ポリマー、ビタミン、増粘剤、微量元素、柔軟剤、金属イオン遮閉剤、香料、酸性化剤または塩基性化剤、保存剤、日焼け止め剤、界面活性剤、抗酸化剤、脱毛防止剤、フケ防止剤およびプロペラント、あるいはこれらの混合物から選択される化粧品成分を含むことを特徴とする請求項1から67のいずれか一項に記載の組成物。
【請求項６９】
懸濁液、分散体、溶液、ゲルまたはエマルジョン、特に、水中油(o/w)、油中水(w/o)または多重エマルジョン(W/O/Wまたはポリオール/O/WまたはO/W/O)の形態、あるいは、クリーム、ペースト、ムース、特にイオン性または非イオン性脂質のベシクル分散体、2相または多相ローション、スプレーまたはスティックの形態であることを特徴とする請求項1から68のいずれか一項に記載の化粧品組成物。
【請求項７０】
無水の状態であることを特徴とする請求項1から69のいずれか一項に記載の化粧品組成物。
【請求項７１】
ケラチン質のメイクアップまたはケア用組成物であることを特徴とする請求項1から70のいずれか一項に記載の化粧品組成物。
【請求項７２】
前記組成物がリップメイクアップ製品であることを特徴とする請求項1から71のいずれか一項に記載の組成物。
【請求項７３】
a)少なくとも1つの区画を定める容器であって、閉じる部材により閉じられる前記容器;および
b)前記区画内に入れられた組成物であって、請求項1から72のいずれか一項に記載の前記組成物
を備える化粧品アセンブリ。
【請求項７４】
前記容器が、少なくとも1種の熱可塑性材料により、少なくとも部分的に形作られていることを特徴とする請求項73に記載の化粧品アセンブリ。
【請求項７５】
前記容器が、少なくとも1種の非熱可塑性材料、特にガラスまたは金属により、少なくとも部分的に形作られていることを特徴とする請求項73に記載の化粧品アセンブリ。
【請求項７６】
前記容器が閉じられた状態で、前記の閉じる部材が前記容器にネジで締められていることを特徴とする請求項73から75のいずれか一項に記載の化粧品アセンブリ。
【請求項７７】
前記容器が閉じられた状態で、前記の閉じる部材が、前記容器に、ネジで締めること以外で、特にクリック止め、ボンディングまたはウェルディングにより連結されていることを特徴とする請求項73から75のいずれか一項に記載の化粧品アセンブリ。
【請求項７８】
前記組成物が前記区画内で実質的に大気圧で存在することを特徴とする請求項73から77のいずれか一項に記載の化粧品アセンブリ。
【請求項７９】
前記組成物が前記容器内に加圧されて存在することを特徴とする請求項73から77のいずれか一項に記載の化粧品アセンブリ。
【請求項８０】
請求項1から72のいずれか一項による前記化粧品組成物からなる化粧品組成物をケラチン質に適用することを含む、ケラチン質のメイクアップまたはケアのための化粧方法。
【請求項８１】
耐移行性があり、時間が経っても快適である堆積層を、ケラチン質、特に、皮膚または唇の上に得るための、請求項1から72のいずれか一項に記載の組成物の使用。
【請求項８２】
耐移行性があり、時間が経っても快適である堆積層を、ケラチン質、特に皮膚または唇の上に得るための、非揮発性液体脂肪相を含み化粧用として許容される有機液体媒質を含む化粧品組成物における、
-皮膜形成性線状ブロックエチレン系ポリマー、および
-前記非揮発性液体脂肪相の全重量に対して、少なくとも30重量%の含量で存在する非揮発性シリコーンオイル
の使用。
【発明の詳細な説明】
【技術分野】
【０００１】
本発明は、人間のケラチン質、例えば、皮膚、唇、睫毛、眉毛、爪および毛髪に付けることを意図する、特定のブロックポリマーと非揮発性シリコーンオイルを含む化粧品組成物に関する。より特定すると、この組成物は、皮膚または唇に付けるためのものである。
【０００２】
本発明による組成物は、ケラチン質、特に皮膚と唇のメイクアップ組成物あるいはケア組成物であり、好ましくはメイクアップ組成物であり得る。
【０００３】
前記のメイクアップ組成物は、リップメイクアップ製品(リップスティック)、ファンデーション、アイシャドウ、メイクアップルージュ、コンシーラー製品、アイライナー、ボディメイクアップ製品、マスカラ、マニキュアまたはヘアメイクアップ製品であり得る。
【０００４】
ケア組成物は、体または顔のスキンケア製品、特に、アンチサン(antisun)製品または皮膚着色製品(例えば、セルフタンニング(self-tanning)製品)であり得る。この組成物は、ヘアケア製品、特にヘアスタイルを保つ、あるいは、毛髪を形付ける製品であり得る。
【背景技術】
【０００５】
リップスティックおよびファンデーション組成物は、唇または皮膚、特に顔に、美しい色をもたせるために一般に使用される。これらのメイクアップ製品は、通常、ワックスやオイルのような脂肪相、顔料および/またはフィラー、任意選択で添加剤、例えば、美容または皮膚活性剤を含む。
【０００６】
これらの組成物は、それらが皮膚に付けられたとき、移行する、すなわち、組成物と接触し得る特定の支持物、特に、ガラス、コップ、タバコ、衣類または皮膚に、少なくとも一部分が付着するようになり、跡(mark)を残すという欠点がある。このために、付けられた皮膜(film)の持続性が幾分劣る結果となり、ファンデーションまたはリップスティック組成物を定期的に付け直す必要が生じる。さらに、これらの容認できない跡が、特にブラススの襟に、現れると、ある女性達はこの種のメイクアップを使用することを嫌がるようになることがある。
【０００７】
このように、それらの組成物と接触し得る支持物(ガラス、衣類、タバコまたはファブリック)上に、少なくとも一部分が付着するようにならない堆積層(deposit)になるという利点がある、唇と皮膚のための「耐移行性の」メイクアップ組成物が求められている。
【０００８】
知られている、耐移行性組成物は、通常、シリコーン樹脂と揮発性シリコーンオイルに基づくものであるが、これらの組成物は、揮発性シリコーンオイルが蒸発した後、乾いて突っ張った感じをその使用者に与える堆積層が皮膚および唇に残されるという欠点があり、こうしてメイクアップ堆積層は時間が経つと不快感を与えるようになる。さらに、ある特定のシリコーン樹脂は、粘着性のあるメイクアップ堆積層となるので、そのメイクアップを一層不快感のあるものにしている。
【０００９】
メイクアップの不快な効果を少なくするために、非揮発性炭化水素系オイル、例えばポリイソブチレンを加えることができるが、その場合は、非揮発性炭化水素系オイルだけを用いることにより、そのメイクアップの耐移行性が変わるということが見出されている。
【非特許文献１】「Polymer Handbook」、第3版(1989年、John Wiley)
【特許文献１】米国特許第4,887,622号
【特許文献２】FR 2 796 529
【特許文献３】FR 2 722 380
【特許文献４】米国特許第5,492,426号
【特許文献５】FR 2 761 959
【特許文献６】出願WO 01/03538
【特許文献７】FR 2 806 273
【特許文献８】FR 2 775 566
【特許文献９】FR 2 727 609
【特許文献１０】出願WO 03/018423
【特許文献１１】FR 2 791 042
【特許文献１２】FR 2 792 618
【発明の開示】
【発明が解決しようとする課題】
【００１０】
こうして、本発明の目的は、優れた耐移行性をもち、ケラチン質、特に、皮膚または唇に、時間か経っても快適な堆積層を生成する化粧品組成物を提供することである。
【課題を解決するための手段】
【００１１】
本発明者等は、特定のブロックポリマーを、十分な量で存在する非揮発性シリコーンオイルと組み合わせて使用することにより、このような組成物を得ることができることを見出した。
【００１２】
より詳細には、こうして、本発明の主題の1つは、ブロックポリマーと、非揮発性液体脂肪相を含み化粧用として許容される有機液体媒質とを含む化粧品組成物であり、
-前記ブロックポリマーは皮膜形成性の線状エチレン系ポリマーであり、
-前記非揮発性液体脂肪相は、非揮発性シリコーンオイルを、前記非揮発性液体脂肪相の全重量に対して少なくとも30重量%含む
ことを特徴とする。
【発明を実施するための最良の形態】
【００１３】
有利には、前記ブロックポリマーはスチレンを含んでいない。
【００１４】
さらに有利には、前記ブロックポリマーは、エラストマー的でない。
【００１５】
より好ましくは、前記ブロックポリマーは、ガラス転移温度(Tg)が異なる、少なくとも1つの第1ブロックと少なくとも1つの第2ブロックとを備え、前記の第1および第2ブロックは、第1ブロックの少なくとも1種の構成モノマーと、第2ブロックの少なくとも1種の構成モノマーとを含む中間ブロックにより互いに連結されている。
【００１６】
好ましくは、前記ポリマーの多分散度Iは2より大きい。
【００１７】
また、好ましくは、第1および第2ブロックは互いに非相容性である。
【００１８】
本発明による組成物により、耐移行性があり、乾いた、突っ張った、あるいは粘着性のある感じがない堆積層、特にメイクアップ堆積層を、ケラチン質、特に皮膚または唇の上で得ることが可能になり、こうして得られた堆積層は、使用者が長時間付けていても快適である。
【００１９】
本発明の主題はまた、ケラチン質、特に皮膚または唇に、上で規定された組成物を付けることを含む、ケラチン質、特に皮膚または唇のメイクアップ方法である。
【００２０】
本発明の主題はまた、ケラチン質、特に皮膚または唇の上に、耐移行性があり、時間が経っても快適である堆積層が得られるように、前記の組成物を使用することである。
【００２１】
本発明の主題はまた、耐移行性があり、時間が経っても快適である堆積層が、ケラチン質、特に皮膚または唇の上で得られるように、非揮発性液体脂肪相を含み化粧用として許容される有機液体媒質を含む化粧品組成物に、
-皮膜形成性線状ブロックエチレン系ポリマー、および
-前記非揮発性液体脂肪相の全重量に対して、少なくとも30重量%の含量で存在する非揮発性シリコーンオイル
を使用することである。
【００２２】
「化粧用として許容される有機液体媒質」という用語は、化粧品組成物に一般に使用される有機溶剤またはオイルのように、室温(25℃)、大気圧(105Pa)で液体であり、さらに、ケラチン質、特に皮膚または唇に適合性がある(compatible)、少なくとも1種の有機化合物を含む媒質を意味する。
【００２３】
本発明による組成物のブロックポリマーは、皮膜形成性線状ブロックエチレン系ポリマーである。
【００２４】
「エチレン系ポリマー」という用語は、エチレン性不飽和を含むモノマーの重合により得られるポリマーを意味する。
【００２５】
「ブロックポリマー」という用語は、少なくとも2つの異なるブロック、好ましくは少なくとも3つの異なるブロックを含むポリマーを意味する。
【００２６】
前記ポリマーは線状構造のポリマーである。対照的に、非線状構造のポリマーは、例えば、分岐構造のポリマー、スターバースト状またはグラフト状などのポリマーである。
【００２７】
「皮膜形成性ポリマー」という用語は、それ自体で、あるいは皮膜形成補助剤の存在で、支持物、特にケラチン質に密着する連続皮膜を形成することができるポリマーを意味する。
【００２８】
有利には、本発明による組成物は、好ましくは互いに非相容性であり、異なるガラス転移温度(Tg)をもつ、少なくとも1種の第1ブロックと少なくとも1種の第2ブロックとを備えるブロックポリマーを含み、前記の第1および第2ブロックは、第1ブロックの少なくとも1種の構成モノマーと、第2ブロックの少なくとも1種の構成モノマーとを含む中間ブロックを通じて互いに連結されている。
【００２９】
以前および以後の記述において、「第1」および「第2」ブロックという用語は、如何なる仕方においても、ポリマー構造内の前記ブロックの順序を規定するものではないことを指摘しておく。
【００３０】
「少なくとも1つのブロック」という用語は、1つまたは複数のブロックを意味する。
【００３１】
「互いに非相容性であるブロック」という用語は、第1ブロックに相当するポリマーと第2ブロックに相当するポリマーとから生成するブレンドは、室温(25℃)、大気圧(105Pa)で、重量で組成物の有機液体媒質の主な部分を占める有機液体に、ポリマーブレンド含量がブレンド(2種のポリマーと溶剤)の全重量に対して5重量%以上では、以下のことを前提として、混和しないことを意味する:
i)前記ポリマーは、それぞれの重量比が10/90から90/10の範囲であるような含量でブレンド中に存在し、
ii)第1および第2ブロックに相当するポリマーの各々は、ブロックポリマーの平均(重量平均または数平均)分子量±15%に等しい平均分子量をもつ。
【００３２】
有機液体媒質が有機液体の混合物を含み、2種以上の有機液体が重量で同じ割合で存在する場合、前記ポリマーブレンドはそれらの有機液体の少なくとも1種に混和しない。
【００３３】
言うまでもなく、有機液体媒質がたった1種の有機液体を含む場合、この液体が、前記の主な部分を占める有機液体である。
【００３４】
有利には、本発明の組成物の前記の主な部分を占める有機液体は、ブロックポリマーの重合のための有機溶剤、あるいは、ブロックポリマーの重合のための混合有機溶剤の主な部分を占める有機溶剤である。
【００３５】
中間ブロックは、ポリマーの第1ブロックの少なくとも1種の構成モノマーと、第2ブロックの少なくとも1種の構成モノマーとを含むブロックであり、これらのブロックを相容させることを可能にする。
【００３６】
好ましくは、本発明による組成物に使用される前記ポリマーは、その骨格にケイ素原子を含まない。「骨格」という用語は、ペンダント状側鎖とは対照的に、ポリマーの主鎖を意味する。
【００３７】
好ましくは、本発明による組成物に使用される前記ポリマーは水溶性でない、すなわち、前記ポリマーは、室温(25℃)で、pH調節なしでは、水、あるいは、水と、2から5個の炭素原子を含む線状または分岐低級1価アルコール、例えば、エタノール、イソプロパノールまたはn-プロパノールとの混合物に、活性物質含量が1重量%以上では溶けない。
【００３８】
有利には、本発明により使用されるブロックポリマーは、本発明の組成物の有機液体媒質中に存在する。
【００３９】
好ましくは、本発明による組成物に使用されるポリマーは、エラストマーではない。
【００４０】
「非エラストマー的ポリマー」という用語は、それを伸ばそうとする(例えば、その最初の長さに対して30%だけ)拘束を受けると、拘束がなくなったとき、その最初の長さと実質的に同じ長さに戻らないポリマーを意味する。
【００４１】
より詳細には、「非エラストマー的ポリマー」という用語は、30%伸ばされた後の瞬間的な回復Ri<50%、および、遅延回復R2h<70%のポリマーを表す。好ましくは、Ri<30%で、R2h<50%である。
【００４２】
より詳細には、ポリマーの非エラストマー的性質は、以下の決められた手順に従って求められる:
ポリマー溶液をテフロン（登録商標）被覆モールドに流し込み、次に、23±5℃で、50±10%の相対湿度に調節された雰囲気で7日間乾燥させることにより、ポリマーの皮膜を調製する。
こうして得られた厚さ約100μmのフィルムから、幅15mm、長さ80mmの長方形の試験片を切り取る(例えば、打ち抜きダイ(punch)を用いて)。
この試料に、乾燥と同じ温度、湿度の条件の下で、Zwickの参照名で販売されている機械を用いて引張り応力を加える。
試験片を50mm/分の速度で引っ張り、つかみ具の間の距離は50mmであり、これは試験片の最初の長さ(Io)に相当する。
【００４３】
瞬間的な回復Riは以下の様にして求められる:
-試験片を30%(εmax)、すなわち試験片の最初の長さ(Io)の約0.3倍だけ引っ張る、
-復帰速度を引張り速度と同じ、すなわち50mm/分にしながら、束縛を開放し、束縛がゼロに戻った後で、試験片の残留伸びをパーセンテージとして求める(εi)。
【００４４】
瞬間的回復パーセント(Ri)は以下の式により与えられる:
Ri = (εmax -εi)/εmax) x 100
【００４５】
遅延回復を求めるために、試験片の残留伸びパーセント(ε2h)を求める。
【００４６】
遅延回復パーセント(R2h)は以下の式で与えられる:
R2h = (εmax -ε2h)/εmax) x 100
【００４７】
単なる目安として、本発明の一実施形態によるポリマーは、10%の瞬間回復Riと、30%の遅延回復R2hをもつ。
【００４８】
好ましくは、本発明による組成物に使用されるブロックポリマーは、2を超える多分散度Iをもつ。
【００４９】
ポリマーの多分散度Iは、重量平均分子量Mwと数平均分子量Mnの比に等しい。
【００５０】
重量平均分子量(Mw)と数平均分子量(Mn)は、ゲル浸透液体クロマトグラフィ(THF溶剤、線状ポリスチレン標準を用いて定められた較正曲線、屈折率に基づく検出器)により求められる。
【００５１】
本発明による組成物に使用されるポリマーの重量平均分子量(Mw)は、好ましくは、300,000以下であり、それは、例えば、35,000から200,000、さらに好ましくは45,000から150,000の範囲である。
【００５２】
本発明による組成物に使用されるポリマーの数平均分子量(Mn)は、好ましくは、70,000以下であり、それは、例えば、10,000から60,000、さらに好ましくは12,000から50,000の範囲である。
【００５３】
本発明による組成物に使用されるポリマーの多分散度は2を超え、例えば、2より大きく9以下であり、好ましくは2.5以下で、例えば、2.5から8の範囲であり、さらに好ましくは2.8より大きくて、特に2.8から6である。
【００５４】
本発明による組成物に使用されるポリマーの各ブロックは、1種のモノマー、あるいは、幾つかの種類の異なるモノマーから誘導される。
【００５５】
これは、各ブロックがホモポリマーまたはコポリマーからなり得ることを意味し、ブロックを構成するこのコポリマーは、この場合には、ランダムまたは交互コポリマーであり得る。
【００５６】
有利には、ポリマーの第1ブロックの少なくとも1種の構成モノマーと、第2ブロックの少なくとも1種の構成モノマーとを含む中間ブロックは、ランダムポリマーである。
【００５７】
好ましくは、中間ブロックは、本質的には、第1ブロックと第2ブロックの構成モノマーから誘導される。
【００５８】
「本質的に」という用語は、少なくとも85%、好ましくは少なくとも90%、さらに好ましくは95%、さらに一層好ましくは100%を意味する。
【００５９】
有利には、中間ブロックは、第1と第2ブロックのガラス転移温度の間のガラス転移温度Tgをもつ。
【００６０】
第1および第2ブロックについて示されるガラス転移温度は、「Polymer Handbook」、第3版(1989年、John Wiley)のような参照便覧に見出すことができる、各ブロックの構成モノマーによる理論的Tg値から、Foxの式として知られている以下の関係式に従って求められた理論的Tg値であり得る:
【数１】
2005104979.tif 000002
ωiは、考えているブロック中のモノマーiの重量分率であり、Tgiはモノマーiのホモポリマーのガラス転移温度である。
【００６１】
そうではないと指摘されなければ、本特許出願において第1および第2ブロックについて示されるTgの値は、理論的Tg値である。
【００６２】
有利には、ポリマーの第1および第2ブロックでは、第1と第2ブロックのガラス転移温度の間の差は、通常10℃より大きく、好ましくは20℃より大きく、さらに好ましくは30℃より大きい。
【００６３】
特に、第1ブロックを、
a)40℃以上のTgをもつブロック、
b)20℃以下のTgをもつブロック、
c)20℃と40℃の間のTgをもつブロック
から選択し、さらに第2ブロックを、第1ブロックと違えて、a)、b)またはc)類から選択することができる。
【００６４】
本発明では、「〜と〜の間」という表現は、記されている両端が除外される、値の範囲を表そうとするものであり、「〜から〜の」および「〜から〜の範囲の」は、両端が含まれる、値の範囲を表そうとするものである。
【００６５】
a)40℃以上のTgをもつブロック
40℃以上のTgをもつブロックは、例えば、40℃から150℃の範囲、好ましくは50℃以上で、例えば、50℃から120℃の範囲、さらに好ましくは60℃以上で、例えば60℃から120℃の範囲のTgをもつ。
【００６６】
40℃以上のTgをもつブロックは、ホモポリマーまたはコポリマーであり得る。
【００６７】
このブロックがホモポリマーである場合、それは、そのホモポリマーのガラス転移温度が40℃以上であるモノマーから誘導される。
【００６８】
この第1ブロックがコポリマーである場合、それは、得られるコポリマーのTgが40℃以上であるように、その性質および濃度が選択される1種または複数のモノマーから、全体として、あるいは一部分として、誘導され得る。コポリマーは、例えば、
-そのホモポリマーのTgの値が40℃以上で、例えば40℃から150℃の範囲、好ましくは50℃以上で、例えば50℃から120℃の範囲、さらに好ましくは60℃以上で、例えば60℃から120℃の範囲のTgであるモノマー、ならびに
-そのホモポリマーのTgが20℃と40℃の間のモノマー、および/または、後に記載される、そのホモポリマーのTg値が20℃以下で、例えば-100℃から20℃の範囲、好ましくは15℃未満で、特に-80℃から15℃の範囲、さらに好ましくは10℃未満で、例えば-50℃から0℃の範囲のTgであるモノマー、から選択される、そのホモポリマーのTgの値が40℃未満であるモノマー
を含み得る。
【００６９】
そのホモポリマーのガラス転移温度が40℃以上であるモノマーは、好ましくは、主モノマーとしても認知される、以下のモノマーから選択される。
-式CH2=C(CH3)-C00R1のメタクリル酸エステル、R1は1から4個の炭素原子を含む無置換の線状または分岐アルキル基、例えば、メチル、エチル、プロピルまたはイソブチル基を表すか、あるいは、R1はC4からC12のシクロアルキル基を表す。
-式CH2=CH-C00R2のアクリル酸エステル、R2はイソボルニル基のようなC4からC12のシクロアルキル基、あるいは、tert-ブチル基を表す。
-次の式の(メタ)アクリルアミド:
【００７０】
【化１】
2005104979.tif 000003
【００７１】
式中、R7およびR8は同じであっても異なっていてもよく、それぞれ、水素原子、または、C1からC12の線状もしくは分岐アルキル基、例えば、n-ブチル、t-ブチル、イソプロピル、イソヘキシル、イソオクチルもしくはイソノニル基を表すか;あるいは、R7がHを表し、R8が1,1-ジメチル-3-オキソブチル基を表し、R'はHまたはメチルを表す。挙げることができるモノマーの例には、N-ブチルアクリルアミド、N-t-ブチルアクリルアミド、N-イソプロピルアクリルアミド、N,N-ジメチルアクリルアミドおよびN,N-ジブチルアクリルアミドが含まれる。
-ならびに、これらの混合物。
【００７２】
特に好ましい主モノマーは、メタクリル酸メチル、(メタ)アクリル酸イソブチルおよび(メタ)アクリル酸イソボルニル、ならびに、これらの混合物である。
【００７３】
b)20℃以下のTgをもつブロック
20℃以下のTgをもつブロックは、例えば、-100℃から20℃の範囲、好ましくは15℃以下で、特に-80℃から15℃の範囲、さらに好ましくは10℃以下で、例えば、-50℃から0℃の範囲のTgをもつ。
【００７４】
20℃以下のTgをもつブロックは、ホモポリマーあるいはコポリマーであり得る。
【００７５】
このブロックがホモポリマーである場合、それは、それらのモノマーから調製されたホモポリマーのガラス転移温度が20℃以下であるようなモノマーから誘導される。この第2ブロックは、1種のモノマー(これに対応するホモポリマーのTgが20℃以下である)だけからなるホモポリマーであり得る。
【００７６】
20℃以下のTgをもつブロックがコポリマーである場合、それは、得られるコポリマーのTgが20℃以下であるように、その性質および濃度が選択される1種または複数のモノマーから、全体として、あるいは一部分として、誘導され得る。
【００７７】
コポリマーは、例えば、
-対応するそのホモポリマーのTgが20℃以下で、例えば-100℃から20℃の範囲、好ましくは15℃未満で、特に-80℃から15℃の範囲、さらに好ましくは10℃未満で、例えば-50℃から0℃の範囲のTgである1種または複数のモノマー、ならびに
-対応するそのホモポリマーのTgが20℃を超え、上に記載された、40℃以上のTgで、例えば40℃から150℃の範囲、好ましくは50℃以上で、例えば50℃から120℃の範囲、さらに好ましくは60℃以上で、例えば60℃から120℃の範囲のTgであるモノマー、および/または、20℃と40℃の間のTgをもつモノマー、のような1種または複数のモノマー
を含み得る。
【００７８】
好ましくは、20℃以下のTgをもつブロックはホモポリマーである。
【００７９】
そのホモポリマーのTgが20℃以下であるモノマーは、好ましくは、以下のモノマー、すなわち主モノマーから選択される。
-式 CH2=CHCOOR3のアクリル酸エステル、R3は、C1からC12の線状もしくは分岐無置換アルキル基を表すが、tert-ブチル基は除外され、O、NおよびSから選択される1種または複数のヘテロ原子が、任意選択で挿入されている。
--式CH2=C(CH3)-C00R4のメタクリル酸エステル、R4は、C6からC12の線状もしくは分岐無置換アルキル基を表し、O、NおよびSから選択される1種または複数のヘテロ原子が、任意選択で挿入されている。
-式 R5-CO-O-CH=CH2のビニルエステル、R5は、C4からC12の線状もしくは分岐アルキル基を表す。
- C4からC12のアルキルビニルエーテル、例えば、メチルビニルエーテルおよびエチルビニルエーテル。
-N-(C4からC12)アルキルアクリルアミド、例えば、N-オクチルアクリルアミド。
-ならびに、これらの混合物。
【００８０】
20℃以下のTgをもつブロックに特に好ましい主モノマーは、そのアルキル鎖が、tert-ブチル基は除いて、1から10の炭素原子を含むアクリル酸アルキルエステル、例えば、アクリル酸メチル、アクリル酸イソブチルおよびアクリル酸2-エチルヘキシル、ならびにこれらの混合物である。
【００８１】
c)20℃と40℃の間のTgをもつブロック
20℃と40℃の間のTgをもつブロックはホモポリマーまたはコポリマーであり得る。
【００８２】
このブロックがホモポリマーである場合、それは、そのホモポリマーのガラス転移温度が20℃と40℃の間であるモノマー(すなわち、主モノマー)から誘導される。
【００８３】
そのホモポリマーのガラス転移温度が20℃と40℃の間であるモノマーは、好ましくは、メタクリル酸n-ブチル、アクリル酸シクロデシル、アクリル酸ネオペンチルおよびイソデシルアクリルアミド、ならびにこれらの混合物から選択される。
【００８４】
20℃と40℃の間のTgをもつブロックがコポリマーである場合、それは、得られるコポリマーのTgが20℃と40℃の間であるように、その性質および濃度が選択される1種または複数のモノマー(すなわち、主モノマー)から、全体として、あるいは一部分として、誘導され得る。
【００８５】
有利には、20℃と40℃の間のTgをもつブロックは、
-上に記載された、それらに対応するホモポリマーのTgが40℃以上で、例えば、40℃から150℃の範囲、好ましくは50℃以上で、例えば、50℃から120℃の範囲、さらに好ましくは60℃以上で、例えば60℃から120℃の範囲のTgをもつ主モノマー、および
-上に記載された、それらに対応するホモポリマーのTgが20℃以下で、例えば、-100℃から20℃の範囲、好ましくは15℃以下で、特に、-80℃から15℃の範囲、さらに好ましくは10℃以下で、例えば、-50℃から0℃の範囲のTgをもつ主モノマー
から全体として、あるいは一部分として誘導されるコポリマーであり、前記モノマーは、第1ブロックを形成するコポリマーのTgが20℃と40℃の間であるように選択される。
【００８６】
このような主モノマーは、例えば、メタクリル酸メチル、アクリル酸イソボルニルおよびメタクリル酸イソボルニル、アクリル酸ブチルとアクリル酸2-エチルヘキシル、ならびにこれらの混合物から選択される。
【００８７】
好ましくは、20℃以下のTgをもつ第2ブロックの割合は、ポリマーの10重量%から85重量%、より好ましくは20重量%から70重量%、さらに好ましくは20重量%から50重量%の範囲である。
【００８８】
一実施形態によれば、本発明による組成物に使用されるブロックポリマーは、スチレンを含んでいない。「スチレンを含んでいないポリマー」という用語は、スチレンまたはスチレン誘導体、例えば、メチルスチレン、クロロスチレンもしくはクロロメチルスチレンのようなスチレンモノマーを、10重量%未満、好ましくは5重量%未満、好ましくは2重量%未満、より好ましくは1重量%未満含むか、あるいは全く含まないポリマーを意味する。
【００８９】
一実施形態によれば、本発明による組成物のブロックポリマーは、脂肪族エチレン性モノマーから誘導される。「脂肪族モノマー」という用語は、芳香族基を全く含まないモノマーを意味する。
【００９０】
けれども、それぞれのブロックは、他方のブロックの、少なくとも1種の構成モノマーを僅かな割合で含み得る。
【００９１】
したがって、第1ブロックは、第2ブロックの、少なくとも1種の構成モノマーを含み得るし、その逆もあり得る。
【００９２】
第1および/または第2ブロックの各々は、上で示されたモノマーに加えて、追加モノマーと認知される1種または複数の他のモノマーを含み得るが、これらの追加モノマーは前記の主モノマーとは異なる。
【００９３】
これ、または、これらの追加モノマーの性質と量は、それらが存在するブロックのガラス転移温度が望まれるものであるように選択される。
【００９４】
この追加モノマーは、例えば、以下のものから選択される。
a)親水性モノマー、例えば、
-少なくとも1つのカルボン酸もしくはスルホン酸官能基を含むエチレン性不飽和モノマー、例えば、アクリル酸、メタクリル酸、クロトン酸、無水マレイン酸、イタコン酸、フマル酸、マレイン酸、アクリルアミドプロパンスルホン酸、ビニル安息香酸、ビニルリン酸、およびこれらの塩。
-少なくとも1つの第3級アミン官能基を含むエチレン性不飽和モノマー、例えば、2-ビニルピリジン、4-ビニルピリジン、メタクリル酸ジメチルアミノエチル、メタクリル酸ジエチルアミノエチルおよびジメチルアミノプロピルメタクリルアミド、ならびに、これらの塩。
-式 CH2=C(CH3)-COOR6のメタクリル酸エステル、R6は、1から4個の炭素原子を含む線状もしくは分岐アルキル基、例えば、メチル、エチル、プロピルもしくはイソブチル基を表し、前記アルキル基は、ヒドロキシル基(例えば、メタクリル酸2-ヒドロキシプロピルおよびメタクリル酸2-ヒドロキシエチル)およびハロゲン原子(Cl、Br、IもしくはF)(例えば、メタクリル酸トリフルオロエチル)から選択される1つまたは複数の置換基で置換されている。
-式 CH2=C(CH3)-COOR9のメタクリル酸エステル、R9は、O、NおよびSから選択される1種または複数のヘテロ原子が任意選択で挿入されている、C6からC12の線状もしくは分岐アルキル基を表し、前記アルキル基は、ヒドロキシル基およびハロゲン原子(Cl、Br、IもしくはF)から選択される1つまたは複数の置換基で置換されている。
-式 CH2=CH-COOR10のアクリル酸エステル、R10は、ヒドロキシル基およびハロゲン原子(Cl、Br、IもしくはF)から選択される1つまたは複数の置換基で置換されている、C1からC12の線状もしくは分岐アルキル基を表し、例えば、アクリル酸2-ヒドロキシプロピルおよびアクリル酸2-ヒドロキシエチルであるか、あるいは、R10は、5から30個のオキシエチレン繰返し単位をもつ、C1からC12のアルキル-O-POE(ポリオキシエチレン)を表し、例えば、メトキシ-POEであるか、あるいは、R10は、5から30個のエチレンオキシド単位を含むポリオキシエチレン基を表す。
b)1個または複数のケイ素原子を含むエチエン性不飽和モノマー、例えば、メタクリルオキシプロピルトリメトキシシランおよびメタクリルオキシプロピルトリス(トリメチルシロキシ)シラン。
-ならびに、これらの混合物。
【００９５】
特に好ましい追加モノマーは、アクリル酸、メタクリル酸およびメタクリル酸トリフルオロエチル、ならびにこれらの混合物である。
【００９６】
これ、または、これらの追加モノマーは、通常、第1および/または第2ブロックの全重量に対して、30重量%以下、例えば、1重量%から30重量%、好ましくは、5重量%から20重量%、より好ましくは7重量%から15重量%の量を占める。
【００９７】
好ましい一実施形態によれば、本発明による組成物に使用されるポリマーは、非シリコーン系ポリマー、すなわち、ケイ素原子を含んでいないポリマーである。
【００９８】
好ましくは、第1および第2ブロックの各々は、上で規定した(メタ)アクリル酸エステルから選択される少なくとも1種のモノマー、任意選択で、(メタ)アクリル酸から選択される1種のモノマー、ならびにこれらの混合物を含む。
【００９９】
有利には、第1および第2ブロックの各々は、全体として、前記の(メタ)アクリル酸エステルから選択される少なくとも1種のモノマー、任意選択で、(メタ)アクリル酸から選択される1種のモノマー、および、これらの混合物から誘導される。
【０１００】
本発明による組成物に使用されるポリマーを、フリーラジカル溶液重合により、以下の調製方法に従って得ることができる。
-重合溶剤の一部分を適当な反応器に入れ、適当な重合温度に達するまで加熱する(通常、60℃と120℃の間)。
-その温度に達すると、第1ブロックの構成モノマーを、ある量の重合開始剤の存在下に導入する。
-90%の最大転化率に相当する時間Tの後、第2ブロックの構成モノマーと開始剤の残りを導入する。
-時間T'(3から6時間の範囲)の間、混合物を反応させ、その後、混合物を室温まで冷却する。
-重合溶剤に溶けたポリマーを得る。
【０１０１】
「重合溶剤」という用語は、溶剤または溶剤の混合物を意味する。重合溶剤は、具体的には、酢酸エチル、酢酸ブチル、アルコール、例えば、イソプロパノールまたはエタノール、および脂肪族アルカン、例えば、イソドデカン、ならびにこれらの混合物から選択され得る。好ましくは、重合溶剤は、酢酸ブチルとイソプロパノールまたはイソドデカンの混合物である。
【０１０２】
第1の実施形態によれば、本発明による組成物に使用されるポリマーは、上でa)に記載された、40℃以上のTgをもつ少なくとも1つの(特に1つの)第1ブロックと、上でb)に記載された、20℃以下のTgをもつ少なくとも1つの(特に1つの)第2ブロックを含む。
【０１０３】
好ましくは、40℃以上のTgをもつ第1ブロックは、上に記載されたモノマーのような、そのホモポリマーのガラス転移温度が40℃以上のモノマーから誘導されるコポリマーである。
【０１０４】
有利には、20℃以下のTgをもつ第2ブロックは、特に前記のようなモノマーから誘導されるホモポリマーである。
【０１０５】
好ましくは、40℃以上のTgをもつ第1ブロックの割合は、ポリマーの重量の20%から90%、より好ましくは、30%から80%、さらに好ましくは、50%から70%の範囲である。
【０１０６】
好ましくは、20℃以下のTgをもつ第2ブロックの割合は、ポリマーの重量の5%から75%、より好ましくは、15%から50%、さらに好ましくは、25%から45%の範囲である。
【０１０７】
こうして、第1の変形形態によれば、本発明による組成物に使用されるポリマーは、以下を含み得る:
-Tgが40℃以上であり、例えば、Tgが70℃から110℃の範囲であり、メタクリル酸メチル/アクリル酸のコポリマーである第1ブロック、
-Tgが20℃以下、例えば、0℃から20℃の範囲であり、アクリル酸メチルのホモポリマーである第2ブロック、および
-メタクリル酸メチル/アクリル酸/アクリル酸メチルのコポリマーである中間ブロック。
【０１０８】
第2の変形形態によれば、本発明による組成物に使用されるポリマーは、以下を含み得る:
-Tgが40℃以上、例えば、Tgが70℃から100℃の範囲であり、メタクリル酸メチル/アクリル酸/メタクリル酸トリフルオロエチルのコポリマーである第1ブロック、
-Tgが20℃以下、例えば、0℃から20℃の範囲であり、アクリル酸メチルのホモポリマーである第2ブロック、および
-メタクリル酸メチル/アクリル酸/アクリル酸メチル/メタクリル酸トリフルオロエチルのランダムコポリマーである中間ブロック。
【０１０９】
第3の変形形態によれば、本発明による組成物に使用されるポリマーは、以下を含み得る:
-Tgが40℃以上、例えば、Tgが85℃から115℃の範囲であり、アクリル酸イソボルニル/メタクリル酸イソブチルのコポリマーである第1ブロック、
-Tgが20℃以下、例えば、-85℃から-55℃の範囲であり、アクリル酸2-エチルヘキシルのホモポリマーである第2ブロック、および
-アクリル酸イソボルニル/メタクリル酸イソブチル/アクリル酸2-エチルヘキシルのコポリマーである中間ブロック。
【０１１０】
第4の変形形態によれば、本発明による組成物に使用されるポリマーは、以下を含み得る:
-Tgが40℃以上、例えば、Tgが85℃から115℃の範囲であり、アクリル酸イソボルニル/メタクリル酸メチルのコポリマーである第1ブロック、
-Tgが20℃以下、例えば、-85℃から-55℃の範囲であり、アクリル酸2-エチルヘキシルのホモポリマーである第2ブロック、および
-アクリル酸イソボルニル/メタクリル酸メチル/アクリル酸2-エチルヘキシルのランダムコポリマーである中間ブロック。
【０１１１】
第5の変形形態によれば、本発明による組成物に使用されるポリマーは、以下を含み得る:
-Tgが40℃以上、例えば、Tgが95℃から125℃の範囲であり、アクリル酸イソボルニル/メタクリル酸イソボルニルのコポリマーである第1ブロック、
-Tgが20℃以下、例えば、-85℃から-55℃の範囲であり、アクリル酸2-エチルヘキシルのホモポリマーである第2ブロック、および
-アクリル酸イソボルニル/メタクリル酸イソボルニル/アクリル酸2-エチルヘキシルのランダムコポリマーである中間ブロック。
【０１１２】
第6の変形形態によれば、本発明による組成物に使用されるポリマーは、以下を含み得る:
-Tgが40℃以上、例えば、Tgが85℃から115℃の範囲であり、メタクリル酸イソボルニル/メタクリル酸イソブチルのコポリマーである第1ブロック、
-Tgが20℃以下、例えば、-35℃から-5℃の範囲であり、アクリル酸イソブチルのホモポリマーである第2ブロック、および
-メタクリル酸イソボルニル/メタクリル酸イソブチル/アクリル酸イソブチルのランダムコポリマーである中間ブロック。
【０１１３】
第7の変形形態によれば、本発明による組成物に使用されるポリマーは、以下を含み得る:
-Tgが40℃以上、例えば、Tgが95℃から125℃の範囲であり、アクリル酸イソボルニル/メタクリル酸イソボルニルのコポリマーである第1ブロック、
-Tgが20℃以下、例えば、-35℃から-5℃の範囲であり、アクリル酸イソブチルのホモポリマーである第2ブロック、および
-アクリル酸イソボルニル/メタクリル酸イソボルニル/アクリル酸イソブチルのランダムコポリマーである中間ブロック。
【０１１４】
第8の変形形態によれば、本発明による組成物に使用されるポリマーは、以下を含み得る:
-Tgが40℃以上、例えば、Tgが60℃から90℃の範囲であり、アクリル酸イソボルニル/メタクリル酸イソブチルのコポリマーである第1ブロック、
-Tgが20℃以下、例えば、-35℃から-5℃の範囲であり、アクリル酸イソブチルのホモポリマーである第2ブロック、および
-アクリル酸イソボルニル/メタクリル酸イソブチル/アクリル酸イソブチルのランダムコポリマーである中間ブロック。
【０１１５】
第2の実施形態によれば、本発明による組成物に使用されるポリマーは、c)に記載されたブロックと同じ、20℃と40℃の間のガラス転移温度(Tg)をもつ少なくとも1つの(特に1つの)第1ブロックと、b)に記載された、20℃以下のガラス転移温度、あるいは、a)に記載された、40℃以上のガラス転移温度をもつ、少なくとも1つの(特に1つの)第2ブロックとを含む。
【０１１６】
好ましくは、20℃と40℃の間のTgをもつ第1ブロックの割合は、ポリマーの重量の10%から85%、好ましくは、30%から80%、さらに好ましくは、50%から70%の範囲である。
【０１１７】
第2ブロックが40℃以上のTgをもつブロックである場合、それは、好ましくは、ポリマーの重量の10%から85%、より好ましくは、20%から70%、さらにより好ましくは、30%から70%の範囲の割合で存在する。
【０１１８】
第2ブロックが20℃以下のTgをもつブロックである場合、それは、好ましくは、ポリマーの重量の10%から85%、より好ましくは、20%から70%、さらにより好ましくは、20%から50%の範囲の割合で存在する。
【０１１９】
好ましくは、20℃から40℃の間のTgをもつ第1ブロックは、対応するそのホモポリマーのTgが40℃以上であるようなモノマーと、対応するそのホモポリマーのTgが20℃以下であるようなモノマーとから誘導されるコポリマーである。
【０１２０】
有利には、20℃以下のTgをもつか、あるいは、40℃以上のTgをもつ第2ブロックは、ホモポリマーである。
【０１２１】
こうして、この第2の実施形態の第1の変形形態によれば、本発明による組成物に使用されるポリマーは、以下を含み得る:
-Tgが20℃と40℃の間、例えば、Tgが25℃から39℃であり、少なくとも1つのアクリル酸メチルモノマー、少なくとも1つのメタクリル酸メチルモノマーおよび少なくとも1つのアクリル酸モノマーを含むコポリマーである第1ブロック、
-Tgが40℃以下、例えば、85から125℃の範囲であり、メタクリル酸メチルモノマーからなるホモポリマーである第2ブロック、および
-少なくとも1つのアクリル酸メチルまたはメタクリル酸メチルモノマーを含む中間ブロック、および
-メタクリル酸メチル、少なくとも1つのアクリル酸モノマーおよび少なくとも1つのアクリル酸メチルモノマーを含む中間ブロック。
【０１２２】
この第2の実施形態の第2の変形形態によれば、本発明による組成物に使用されるポリマーは、以下を含み得る:
-Tgが20℃と40℃の間、例えば、Tgが21℃から39℃であり、アクリル酸イソボルニル/メタクリル酸イソブチル/アクリル酸2-エチルヘキシルを含むコポリマーである第1ブロック、
-Tgが20℃以下、例えば、-65℃から-35℃の範囲であり、メタクリル酸メチルのホモポリマーである第2ブロック、および
-アクリル酸イソボルニル/メタクリル酸イソブチル/アクリル酸2-エチルヘキシルのランダムコポリマーである中間ブロック。
【０１２３】
この第2の実施形態の第3の変形形態によれば、本発明による組成物に使用されるポリマーは、以下を含み得る:
-Tgが20℃と40℃の間、例えば、Tgが21℃から39℃であり、アクリル酸イソボルニル/アクリル酸メチル/アクリル酸のコポリマーである第1ブロック、
-Tgが40℃以上、例えば、85℃から115℃の範囲であり、アクリル酸イソボルニルのホモポリマーである第2ブロック、および
-アクリル酸イソボルニル/アクリル酸メチル/アクリル酸のランダムコポリマーである中間ブロック。
【０１２４】
前記のブロックポリマーは、本発明による組成物に、組成物の全重量に対して、0.1重量%から90重量%の範囲、好ましくは0.5重量%から50重量%の範囲、優先的には0.5重量%から30重量%の範囲の含量で存在し得る。
【０１２５】
本発明による組成物はシリコーンオイルを含む。
【０１２６】
「オイル」という用語は、室温(25℃)、大気圧(760mmHg)で液体であり、皮膚、粘膜(唇)および/または外皮(爪、睫毛、眉毛または毛髪)に付けても問題のない非水性媒質を意味する。
【０１２７】
「非揮発性オイル」という用語は、室温(25℃)、大気圧で、少なくとも1時間、皮膚の上に留まることができ、さらに、室温(25℃)、大気圧で、0.01mmHg(1.33Pa)未満の、ゼロでない蒸気圧を特に有するオイルを意味する。
【０１２８】
非揮発性シリコーンオイルは、好ましくは、10から10,000cSt、さらに好ましくは、10から5000cStの範囲内の粘度をもつ。
【０１２９】
非揮発性シリコーンオイルは、非揮発性ポリジメチルシロキサン(PDMS); ペンダント状に、もしくはシリコーン鎖の末端に、アルキル、アルコキシもしくはフェニル基を含み、これらの基が2から24個の炭素原子を含むポリジメチルシロキサン;フィニルシリコーン、例えば、フェニルトリメチコン、フェニルジメチコン、フェニルトリメチルシロキシジフェニルシロキサン、ジフェニルジメチコンおよびジフェニルメチルジフェニルトリシロキサン;脂肪酸(特に、C8〜C20のもの)、脂肪アルコール(特に、C8〜C20のもの)またはポリオキシアルキレン(特に、ポリオキシエチレンおよび/またはポリオキシプロピレン)で修飾されたポリシロキサン;アミノシリコーン;ヒドロキシル基を含むシリコーン;1から12個の炭素原子を含み、その水素原子のいくらか、または全てがフッ素原子で置換されており、ペンダント状に、もしくはシリコーン鎖の末端に存在するフルオロ基を含むフルオロシリコーン;ならびにこれらの混合物から選択され得る。
【０１３０】
有利には、非揮発性シリコーンオイルは、非揮発性フェニルシリコーンオイルから選択される。
【０１３１】
非揮発性フェニルシリコーンオイルを、下の式(VI)のフェニルシリコーン:
【０１３２】
【化２】
2005104979.tif 000004
【０１３３】
から選択することができ、式中、
-R1からR10は、互いに独立に、線状、環状もしくは分岐で飽和もしくは不飽和のC1〜C30の炭化水素系の基(radical)であり、
- m、n、pおよびqは、互いに独立に、和「m+n+q」が0ではないという条件で、0から900の間の整数である。
【０１３４】
好ましくは、和「m+n+q」は、1と100の間である。
【０１３５】
好ましくは、和「m+n+p+q」は、1と900の間、より好ましくは1と800の間である。
【０１３６】
好ましくは、qは0に等しい。
【０１３７】
好ましくは、非揮発性フェニルシリコーンオイルは、下の式(VII)のフェニルシリコーン:
【０１３８】
【化３】
2005104979.tif 000005
【０１３９】
から選択され、式中、
-R1からR6は、互いに独立に、線状、環状もしくは分岐状で飽和もしくは不飽和のC1〜C30の炭化水素系の基であり、
- m、n、およびpは、互いに独立に、和「m+n」が1と100の間であるという条件で、0と100の間の整数である。
【０１４０】
好ましくは、R1からR6は、互いに独立に、線状もしくは分岐状の飽和C1〜C30、特にC1〜C12の炭化水素系の基であり、特に、メチル、エチル、プロピルまたはブチル基である。
【０１４１】
R1からR6は、特に、同じであってよく、さらにメチル基であり得る。
【０１４２】
好ましくは、m=1または2または3で、および/あるいは、n=0、および/あるいは、p=0または1であり得る。
【０１４３】
フェニルシリコーンオイルは、フェニルトリメチコン、フェニルジメチコン、フェニルトリメチルシロキシジフェニルシロキサン、ジフェニルジメチコンおよびジフェニルメチルジフェニルトリシロキサン、ならびにこれらの混合物から選択され得る。
【０１４４】
好ましくは、フェニルシリコーンオイルの重量平均分子量は、500と10,000の間である。
【０１４５】
有利には、使用されるフェニルシリコーンオイルは、25℃の粘度が5と1500mm2/s(すなわち、5から1500cSt)の間、好ましくは、5と1000mm2/s(すなわち、5から1000cSt)の間の式(VI)のフェニルシリコーンオイルである。
【０１４６】
具体的に使用され得る非揮発性フェニルシリコーンオイルには、フェニルトリメチコン、例えば、Dow CorningのDC556(22.5cSt)、Rhone-PoulencのSilbione 70663V30(28cSt)オイル、あるいは、ジフェニルジメチコン、例えば、Belsilオイル、特に、WackerのBelsil PDM 1000(1000cSt)、Belsil PDM 200(200cSt)およびBelsil PDM 20(20cSt)が含まれる。括弧内の値は25℃の粘度を表す。
【０１４７】
非揮発性シリコーンオイルは、本発明による組成物に、非揮発性液体脂肪相の全重量に対して、30重量%から95重量%の範囲、好ましくは、40重量%から85重量%の範囲、優先的には50重量%から80重量%の範囲の含量で存在し得る。
【０１４８】
非揮発性シリコーンオイルは、本発明による組成物に、組成物の全重量に対して、0.1重量%から70重量%の範囲、好ましくは、1重量%から50重量%の範囲、優先的には1重量%から30重量%の範囲の含量で存在し得る。
【０１４９】
特に好ましい一実施形態によれば、本発明の組成物の有機液体媒質は、前記のブロックポリマーの重合のための(複数種の)有機溶剤そのもの、またはその1種である、少なくとも1種の有機液体を含む。有利には、前記有機重合溶剤は、化粧品組成物の有機液体媒質の重量の主な部分を占める有機液体である。
【０１５０】
本発明による組成物の非揮発性液体脂肪相は、少なくとも1種の非シリコーン系非揮発性オイル、特に非揮発性炭化水素系オイルもまた含み得る。好ましくは、オイル状非揮発性液体脂肪相は、巨視的には均一である、すなわち、目で見て均一である。
【０１５１】
「炭化水素系オイル」という用語は、炭素および水素原子と、可能性として酸素または窒素原子から本質的に形成される、あるいはそれらからなり、ケイ素またはフッ素原子を含んでいないオイルを意味する。それは、アルコール、エステル、エーテル、カルボン酸、アミンおよび/またはアミド基を含み得る。
【０１５２】
非シリコーン系非揮発性オイルは、非揮発性液体脂肪相の全重量に対して、0.1重量%から70重量%の範囲、好ましくは、0.5重量%から60重量%の範囲、優先的には1重量%から50重量%の範囲の含量で存在し得る。
【０１５３】
非シリコーン系非揮発性オイルは、本発明による組成物に、組成物の全重量に対して、0.1重量%から60重量%の範囲、好ましくは、0.5重量%から30重量%の範囲、優先的には1重量%から20重量%の範囲の含量で存在し得る。
【０１５４】
使用され得る非シリコーン系非揮発性オイルには、流動パラフィン(あるいは、石油ゼリー)のような非揮発性炭化水素系オイル、スクワラン、水素添加ポリイソブチレン(PARLEAMオイル)、ペルヒドロスクワレン、ミンク油、タートル油、大豆油、スイートアーモンドオイル、カロフィラムオイル、パーム油、ブドウ種油、ゴマ油、トウモロキシ油、アララオイル、ナタネ油、ヒマワリ油、綿実油、アプリコットオイル、ヒマシ油、アボガド油、ホホバ油、オリーブ油、穀物胚芽油;ラノリン酸、オレイン酸、ラウリン酸もしくはステアリン酸のエステル;脂肪エステル、特にC12〜C36のもの、例えば、ミリスチン酸イソプロピル、パルミチン酸イソプロピル、ステアリン酸ブチル、ラウリン酸ヘキシル、アジピン酸ジイソプロピル、イソノナン酸イソノニル、パルミチン酸2-エチルヘキシル、ラウリン酸2-ヘキシルデシル、パルミチン酸2-オクチルデシル、ミリスチン酸もしくは乳酸2-オクチルドデシル、コハク酸ビス(2-エチルヘキシル)、リンゴ酸ジイソステアリル、および、トリイソスアテリン酸グリセリルもしくはジグリセリル;高級脂肪酸、特に、C14〜C22のもの、例えば、ミリスチン酸、パリミチン酸、ステアリン酸、ベヘン酸、オレイン酸、リノール酸、リノレン酸もしくはイソステアリン酸;高級脂肪アルコール、特に、C16〜C22のもの、例えば、セタノール、オレイルアルコール、リノレイルアルコール、リノレニルアルコール、イソステアリルアルコールもしくはオクチルドデカノール;ならびにこれらの混合物が含まれる。
【０１５５】
有利には、非シリコンーン系非揮発性オイルは、炭化水素、特にアルカンから選択され、例えば水素化ポリイソブテンである。
【０１５６】
本発明による組成物はまた、少なくとも1種の揮発性オイルを含み得る。
【０１５７】
「揮発性オイル」という用語は、1時間経たないうちに皮膚または唇から蒸発することができ、さらに、室温、大気圧で、特に、10-3から300mmHg(0.13Paから40,000Pa)の範囲の蒸気圧を有する非水性媒質を意味する。
【０１５８】
本発明によれば、1種または複数の揮発性オイルが使用され得る。
【０１５９】
これらのオイルは、炭化水素系オイル、あるいは、ペンダント状もしくはシリコーン鎖の末端にアルキルまたはアルコキシ基を任意選択で含むシリコーンオイルであり得る。
【０１６０】
本発明で使用され得る揮発性シリコーンオイルとして、2から7個のケイ素原子を含む線状もしくは環状シリコーンであって、1から10個の炭素原子を含むアルキルまたはアルコキシ基を任意選択で含むシリコーンを挙げることができる。本発明に使用され得る揮発性シリコーンオイルとして、特に、オクタメチルシクロテトラシロキサン、デカメチルシクロペンタシロキサン、ドデカメチルシクロヘキサシロキサン、ヘプタメチルヘキシルトリシロキサン、ヘプタメチルオクチルトリシロキサン、オクタメチルトリシロキサンおよびデカメチルテトラシロキサン、ならびにこれらの混合物を挙げることができる。
【０１６１】
本発明で使用され得る他の揮発性オイルとして、C8〜C16のイソアルカンオイル(イソパラフィンとしても知られている)、例えば、イソドデカン、イソデカンおよびイソヘキサデカン、さらに、例えば、IsoparおよびPermethylの商品名で販売されているオイル、特にイソドデカン(Permethyl 99A)が特に好ましい。
【０１６２】
揮発性オイルは、本発明による組成物に、組成物の全重量に対して、0.1重量%から90重量%の範囲、好ましくは、1重量%から70重量%の範囲、優先的には5重量%から50重量%の範囲の含量で存在し得る。
【０１６３】
本発明の組成物は、本発明に適する前記のブロックポリマー以外に、追加のポリマー、例えば皮膜形成性ポリマーを含み得る。本発明では、「皮膜形成性ポリマー」という用語は、それ自体で、あるいは補助的な皮膜形成剤の存在で、支持物、特にケラチン質に密着する連続皮膜を形成することができるポリマーを意味する。
【０１６４】
本発明の組成物で使用され得る皮膜形成性ポリマーの中で特に、遊離基型および重縮合型の合成ポリマーと、天然由来のポリマー、ならびにこれらの混合物を挙げることができる。特に挙げることができる皮膜形成性ポリマーには、アクリルポリマー、ポリウレタン、ポリエステル、ポリアミド、ポリ尿素およびセルロース系ポリマー、例えばニトロセルロースが含まれる。
【０１６５】
本発明による組成物は、特に、ワックス、ペースト状脂肪物質およびガム(gum)、ならびにこれらの混合物から選択される、少なくとも幾種類かの室温で固体の脂肪物質もまた含み得る。これらの脂肪物質は、動物、植物、石油(mineral)または合成由来であり得る。
【０１６６】
本発明では、「ワックス」という用語は、室温(25℃)で固体であり、可逆的な固体/液体の状態変化を受け、30℃以上であり120℃までであり得る融点をもつ、親油性化合物を意味する。
【０１６７】
前記ワックスを液体状態にする(融解)ことにより、存在し得るオイルにそれを相容させ、微視的に均一な混合物とすることができるが、混合物の温度を室温に戻すと、混合物のオイル中でワックスは再結晶する。示差熱走査熱量計(DCC)、例えば、Mettler社によりDSC 30の名称で販売されている熱量計を用いてワックスの融点を測定することができる。
【０１６８】
前記ワックスはまた、0.05MPaから15MPaの範囲、好ましくは、6MPaから15MPaの範囲の
硬度をもち得る。硬度は、Rheo社によりTA-XT2iの名称で販売されており、0.1mm/sの測定速度で移動し、侵入深さ0.3mmまでワックスに押し込まれる直径2mmのステンレス鋼シリンダを装備するテクスチャ測定装置(texturometer)を用いて20℃で測定される、圧縮力を測定することにより求められる。
【０１６９】
前記ワックスは炭化水素系ワックス、フッ素系ワックスおよび/またはシリコーンワックスであってよく、植物、石油、動物および/または合成由来であってよい。特に、前記ワックスは25℃以上、より好ましくは45℃以上の融点をもつ。
【０１７０】
本発明の組成物で使用され得るワックスとして、蜜蝋、カルナバワックスまたはカンデリラワックス、パラフィン、マイクロクリスタリンワックス、セレシンもしくはオゾケライト、合成ワックス、例えば、ポリエチレンワックスもしくはフィッシャー-トロプシュワックス、および、シリコーンワックス、例えば16から45個の炭素原子を含む、アルキルもしくはアルコキシジメチコンを挙げることができる。
【０１７１】
ガムは通常、高分子量のポリジメチルシロキサン(PDMS)またはセルロースガムまたは多糖であり、ペースト状物質は通常、炭化水素系化合物、例えば、ラノリンとその誘導体、またはPDMSである。
【０１７２】
固体物質の性質と量は、望みの機械的性質とテクスチャによる。目安として、本発明の組成物は、組成物の全重量に対して、0.1重量%から50重量%、より好ましくは、1重量%から30重量%のワックスを含み得る。
【０１７３】
本発明による組成物はまた、当業者によく知られている、水溶性染料、ならびに、微粉色素、例えば顔料、真珠光沢箔(nacre)およびフレークから選択される1種または複数の色素も含み得る。色素は、組成物の重量に対して、0.01重量%から50重量%、好ましくは、0.01重量%から30重量%の範囲の含量で、組成物中に存在し得る。
【０１７４】
「顔料」という用語は、生理学的媒質に不溶であり、また組成物を着色するための、白色または有色で任意の形状の無機または有機粒子を意味すると理解されるべきである。
【０１７５】
「真珠光沢箔」という用語は、特定の貝類によりそれらの貝殻に特に作り出されるか、あるいは、代わりに合成される、任意の形状の虹色粒子を意味すると理解されるべきである。
【０１７６】
顔料は、白色または有色であり、かつ無機および/または有機物であり得る。特に挙げることができる無機顔料には、任意選択で表面処理されている二酸化チタン、酸化ジルコニウムまたは酸化セリウム、および酸化亜鉛、酸化鉄(黒、黄色または赤)、あるいは、酸化クロム、マンガンバイオレット、ウルトラマリンブルー、クロム水和物および鉄(III)ブルー、ならびに金属粉末、例えばアルミニウム粉末または銅粉末がある。
【０１７７】
挙げることができる有機顔料には、カーボンブラック、D&Cタイプの顔料、およびコチニールカルミンまたはバリウム、ストロンチウム、カルシウムまたはアルミニウム系のレーキがある。
【０１７８】
天然または合成の、有機または無機の基体(substrate)、例えば、ガラス、アクリル樹脂、ポリエステル、ポリウレタン、ポリエチレンテレフタレート、セラミックまたはアルミナからなり、前記基体が、金属物質、例えば、アルミニウム、金、銀、白金、銅またはブロンズにより、あるいは金属酸化物、例えば、酸化チタン、酸化鉄、または酸化クロム、ならびにこれらの混合物により、被覆されているか、または被覆されていない粒子のような、ある効果をもつ顔料もまた挙げることができる。
【０１７９】
真珠光沢顔料は、チタン、もしくはオキシ塩化ビスマスにより被覆されたマイカのような白色真珠光沢顔料、酸化鉄により被覆されたチタンマイカ、特に鉄(III)ブルーまたは酸化クロムにより被覆されたチタンマイカ、前記のタイプの有機顔料により被覆されたチタンマイカのような有色真珠光沢顔料、さらにオキシ塩化ビスマス系の真珠光沢顔料から選択され得る。干渉顔料、特に液晶顔料または多層顔料もまた使用され得る。
【０１８０】
水溶性染料は、例えば、ビートルートジュース(beetroot juice)またはメチレンブルーである。
【０１８１】
本発明による組成物はまた、1種または複数のフィラーを、特に、組成物の全重量に対して、0.01重量%から50重量%の範囲、好ましくは、0.01重量%から30重量%の範囲の含量で含み得る。「フィラー」という用語は、組成物が製造される温度に関係なく、組成物の媒質に溶けない、無色または白色で、任意の形状の無機または合成粒子を意味すると理解されるべきである。これらのフィラーは、特に、組成物のレオロジーまたはテクスチャを変えるのに役立つ。
【０１８２】
フィラーは、結晶学的形態(例えば、リーフレット(leaflet)、立方、六方、斜方など)に関係なく、任意の形状、小板状、球状または長方形状の無機または有機物であり得る。タルク、マイカ、シリカ、カオリン、ポリアミド(Nylon(登録商標))粉末(AtochemのOrgasol(登録商標))、ポリ-β-アラニン粉末およびポリエチレン粉末、テトラフルオロエチレンポリマー(Teflon(登録商標))粉末、ラウロイルリシン、デンプン、窒化ホウ素、中空ポリマーマイクロスフィア、例えば、ポリ塩化ビニリデン/アクリロニトリルのもの、例えば、Expancel(登録商標)(Nobel Industrie)、またはアクリル酸コポリマー(Dow Corning社のPolytrap(登録商標))およびシリコーン樹脂のマイクロビーズ(例えば、ToshibaのTospeals(登録商標))、エラストマー的ポリオルガノシロキサン粒子、沈降炭酸カルシウム、炭酸マグネシウム、炭酸水素マグネシウム、ヒドロキシアパタイト、中空シリカマイクロスフィア(MaprecosのSilica Beads(登録商標))、ガラスまたはセラミックのマイクロカプセル、ならびに、8から22個の炭素原子、好ましくは12から18個の炭素原子を含む有機カルボン酸から誘導される金属石鹸、例えば、亜鉛、マグネシウムまたはリチウムのステアリン酸塩、ラウリン酸亜鉛またはミリスチン酸マグネシウムを挙げることができる。
【０１８３】
本発明の組成物は、水、あるいは、水と(複数の)親水性有機溶剤、例えば、アルコール、特に2から5個の炭素原子を含む線状または分岐低級1価アルコール、例えば、エタノール、イソプロパノールもしくはn-プロパノール、および、ポリオール、例えば、グリセロール、ジグリセロール、プロピレングリコール、ソルビトールもしくはペンチレングリコールとポリエチレングリコール、または親水性C2エステル、C2〜C4アルデヒドとの混合物を含む、親水性媒質を含み得る。
【０１８４】
水、あるいは、水と親水性有機溶剤との混合物は、本発明による組成物に、組成物の全重量に対して、0.1重量%から99重量%、好ましくは10重量%から80重量%の範囲の含量で存在し得る。
【０１８５】
本発明による組成物はまた、化粧品に一般に使用される成分、例えば、ビタミン、増粘剤、微量元素、柔軟剤、金属イオン遮閉剤、香料、酸性化剤または塩基性化剤、保存剤、日焼け止め剤、界面活性剤、抗酸化剤、脱毛防止剤、フケ防止剤および噴射剤、あるいは、これらの混合物も含み得る。
【０１８６】
当分野の技術者は、言うまでもなく、対応する本発明による組成物の利点のある特性が、想定される添加により悪影響を受けないか、実質的に受けないように、これ、またはこれらの任意選択の追加の化合物、および/または、それらの量を選択するように注意を払うであろう。
【０１８７】
本発明による組成物は特に、懸濁液、分散体、溶液、ゲル、エマルジョン、殊に、水中油(o/w)エマルジョン、油中水(w/o)エマルジョン、または多重エマルジョン(W/O/Wまたはポリオール/O/WまたはO/W/Oエマルジョン)の形態、クリーム、ムース、スティック、ベシクル分散体、殊に、イオン性または非イオン性脂質のもの、2相または多相ローション、スプレ、粉末、ペースト、特に、ソフトペースト(特に、円錐/平板型で10分後に測定して、200s-1の剪断速度の下で、25℃の動粘度が約0.1から40Pa・sであるペースト)の形態であり得る。組成物は無水であってよく、例えば、それは無水のスティックまたはペーストであり得る。組成物はリーブイン(leave-in)組成物であり得る。
【０１８８】
当業者は、一般的な知識に基づいて、第1に、使用される構成成分の性質、特に支持物へのそれらの溶解性と、第2に、その組成物の目指す用途とを考慮して、適切な提供形態と、その調製方法を選択するであろう。
【０１８９】
別の態様によれば、本発明はまた、
i)少なくとも1つの区画を定める容器であって、閉じる部材により閉じられる前記容器;および
ii)前記区画内に入れられた組成物であって、前記請求項のいずれか一項に従う前記組成物
を備える化粧品アセンブリにも関する。
【０１９０】
前記容器は適当な形態であってよい。それは、特に、ボトル、チューブ、ジャー、ケース、ボックス、サッシェまたはカートンの形態であり得る。
【０１９１】
閉じる部材は、可動式ストッパ、蓋、キャップ、切り取りストリップまたはカプセル、特に、容器に取り付けられた本体とその本体に屈曲性をもって結合するカバーキャップとを備えるタイプのものであり得る。それはまた、容器を選択的に閉じる部材、特にポンプ、バルブまたは蝶型弁(flap valve)の形態でもあり得る。
【０１９２】
容器をアプリケータ、特に、撚られたワイヤにより保持される剛毛の配列を含むブラシの形態と組み合わせてもよい。このような撚りブラシは、特に、米国特許第4,887,622号に記載されている。アプリケータはまた、特に成形により得られる複数の塗布部材を含む櫛の形態でもあり得る。このような櫛は、例えば、特許FR 2 796 529に記載されている。アプリケータは、例えば、特許FR 2 722 380に記載される細かいブラシの形態であり得る。アプリケータは発泡体またはエラストマーのブロック、フェルト、またはスパチュラの形態であり得る。アプリケータは、取り付けられていない(タフトまたはスポンジ)ことも、あるいは、例えば、米国特許第5,492,426号に記載されるように、閉じる部材に付いた棒にしっかりと固定されていることもあり得る。アプリケータは、例えば、特許FR 2 761 959に記載されるように、容器にしっかりと固定されていてもよい。
【０１９３】
製品は直接容器に入れても、または間接的であってもよい。例として、含浸させた支持体、特にワイプまたはパッドの形態に製品を準備し、ボックスまたはサッシェに(1個ずつ、あるいはまとめて)並べることができる。製品を組み入れるこのような支持体は、例えば、特許出願WO 01/03538に記載されている。
【０１９４】
閉じる部材は、ネジにより容器に連結されていてもよい。別法として、閉じる部材と容器との間の連結は、ネジによる以外に、特に、差込機構を通じて、クリック止め、グリッピング、ウェルディング、ボンディングにより、または磁気の引力により行われる。「クリック止め」という用語は具体的には、ある部分、特に閉じる部材のある部分の弾性変形により材料をビーズまたはコードが横切り、その後、ビードまたはコードが横切った後で前記部分が弾性的に強制されていない位置に戻ることを含むシステムを意味する。
【０１９５】
容器は、少なくとも部分的に熱可塑性材料から製造され得る。挙げることができる熱可塑性材料の例には、ポリプロピレンまたはポリエチレンが含まれる。
【０１９６】
別法として、容器は熱可塑性材料でないもの、特に、ガラスまたは金属(または合金)で製造される。
【０１９７】
容器は硬い壁面、あるいは変形し得る壁面、特にチューブ、またはチューブ状ボトルの形態のものをもち得る。
【０１９８】
容器は、組成物の分取または分取を容易にする手段を備え得る。例として、容器は、組成物が容器内の正の圧力に応じて出て行くことができるように、変形し得る壁面を有していてもよく、この正の圧力は容器の壁面を弾性的(または非弾性的)に押しつぶすことにより発生する。別法として、特に製品がスティックの形態である場合、製品をピストン機構により押し出すことができる。やはりスティックの場合、特にメイクアップ製品(リップスティック、ファンデーションなど)では、容器が、ある機構、特に、ラック(rack)機構、ネジ付き棒機構または螺旋溝機構を備えていて、その開口部の方向にスティックを動かすことができるようになっていてもよい。このような機構は、例えば、特許FR 2 806 273または特許FR 2 775 566に記載されている。液体製品に対するこのような機構は、特許FR 2 727 609に記載されている。
【０１９９】
容器は、組成物を含む少なくとも1つのハウジングを定める基部と、蓋、特に基部に屈曲性をもって結合し、少なくとも部分的に前記基部を覆うことができる蓋とを有するカートンからなっていてもよい。このようなカートンは、例えば、特許出願WO 03/018423あるいは特許FR 2 791 042に記載されている。
【０２００】
容器には、容器の開口部に配置された液切り器具(drainer)を装備することができる。このような液切り器具はアプリケータと、できれば、それをしっかりと固定しているかもしれない棒とをぬぐうことを可能にする。このような液切り器具は、例えば、特許FR 2 792 618に記載されている。
【０２０１】
組成物は、容器内で大気圧(室温で)であることも、あるいは、特にプロペラントガス(エーロゾル)により、加圧されていることもある。後者の場合には、容器に(エーロゾルで使用されるタイプの)バルブが装備される。
【０２０２】
上で引用した特許または特許出願の内容は、参照として本特許出願に組み込まれる。
【０２０３】
本発明は下記の実施例により、さらに詳細に例示される。
【実施例１】
【０２０４】
ポリ(アクリル酸イソボルニル/メタクリル酸イソボルニル/アクリル酸2-エチルヘキシル)ポリマーの調製
100gのイソドデカンを1リットルの反応器に入れ、次に、室温(25℃)から90℃まで、1時間かけて温度を上げる。
【０２０５】
次に、105gのアクリル酸イソボルニル、105gのメタクリル酸イソボルニル、110gのイソドデカンおよび1.8gの2,5-ビス(2-エチルヘキサノイルペルオキシ)-2,5-ジメチルヘキサン(Akzo NobelのTrigonox(登録商標)141)を、90℃で1時間かけて加える。
【０２０６】
混合物を90℃に1時間30分保つ。
【０２０７】
次に、90gのアクリル酸2-エチルヘキシル、90gのイソドデカンおよび1.2gの2,5-ビス(2-エチルヘキサノイルペルオキシ)-2,5-ジメチルヘキサンを、やはり90℃で30分間かけて前記の混合物に加える。
【０２０８】
混合物を90℃に3時間保ち、次に、冷却する。
【０２０９】
50%のポリマー活性物質をイソドデカン中に含む溶液を得る。
【０２１０】
Tgが110℃のポリ(アクリル酸イソボルニル/メタクリル酸イソボルニル)第1ブロック、Tgが-70℃のポリアクリル酸2-エチルヘキシルの第2ブロック、および、アクリル酸イソボルニル/メタクリル酸イソボルニル/アクリル酸2-エチルヘキシルのランダムポリマーである中間ブロックを備えるポリマーを得る。
【０２１１】
このポリマーは、103,900の重量平均分子量と21,300の数平均分子量、すなわち、4.89の多分散度Iをもつ。
【実施例２】
【０２１２】
以下の組成のリップスティックを調製した:
イソドデカン中50重量%の実施例1のブロックポリマー                       65g
水素添加ポリイソブチレン(PARLEAMオイル)                                2.1g
オクチルドデカノール                                                   0.9g
フェニルシリコーンオイル(Dow Corning 556C)                             27.8g
ポリビニルピロリドン/エイコセンコポリマー(ISPのAntaron V220)           1.2g
顔料                                                                   3g
【０２１３】
前記のオクチルドデカノール、シリコーンオイル、PARLEAMオイル、ショ糖酢酸イソ酪酸エステル、および、ポリビニルピロリドン/エイコセンコポリマーを、約60℃で加熱しながら合わせて混合する。すり潰された顔料着色混合物を、この混合物を3本ロールミルで3回ひくことにより、この混合物を用いて作る。
【０２１４】
次に、すり潰された着色混合物、イソドデカンとブロックポリマーを、室温で合わせて混合し、ここで、シリカを最後に加える。次に、配合物を漏れない加熱ボトルに入れる。
【０２１５】
次に、このリップスティックで得られるメイクアップ皮膜の耐移行性を、以下の手順を用いて評価した:
【０２１６】
その面の一方に接着性があり、密度が33kg/m3のポリエチレン発泡体(Joint Technique Lyonnais Ind社からRE40x70EP3の名称で販売されている)の支持体(40mmx70mmの長方形で、厚さ3mm)を、支持体の表面が33±1℃の温度に保たれるように、40℃の温度に保たれたホットプレート上で加熱する。
【０２１７】
支持体がホットプレート上にある状態で、細かいブラシを用いて組成物が約15μm乗るように組成物を塗り付けることにより、組成物を支持体の非接着面全体に付着させ、次に、支持体を30分間放置して乾燥する。
【０２１８】
乾燥後、支持体を、ネジピッチを備える直径20mmのアンビル(anvil)上に、その接着面で貼り付ける。次に、支持体/堆積層のアセンブリを直径18mmのパンチを用いて切り抜く。次に、そのアンビルを、引張試験機(Someco社のImada DPS-20)を装備するプレス(Someco社のStatif Manuel Imada SV-2)にネジで固定する。
【０２１９】
80g/m2の白色フォトコピー用紙をプレス台に置き、次に、その紙に、支持体/堆積層のアセンブリを2.5kgの圧力で30秒間押し付ける。支持体/堆積層のアセンブリを除いた後、堆積層のいくらかが紙に移行する。次に、紙の上に移行した堆積層の色を、Minolta CR300色彩計を用いて測定し、色を、L*、a*、b*の表色パラメータにより特徴づける。使用された無垢の紙の色の表色パラメータL*0、a*0、b*0を求める。
【０２２０】
次に、無垢の紙の色に対する、移行した堆積層の色との間の色差ΔE1を、次の関係式により求める。
【０２２１】
【数２】
2005104979.tif 000006
【０２２２】
さらに、全移行の基準を、組成物が約15μm乗るように細かいブラシを用いて組成物を塗り付けて、前に使用されたものと同じ紙の上に室温(25℃)で組成物を直接付着させることにより調製し、次に、堆積層を室温(25℃)に30分間放置して乾燥する。乾燥後、全移行の基準色に対応する、紙の上にある堆積層の色の表色パラメータ、L*'、a*'およびb*'を直接求める。使用された無垢の紙の色の表色パラメータ、L*'0、a*'0およびb*'0を求める。
【０２２３】
次に、無垢の紙の色に対する、全移行の基準色との間の色差ΔE2を、次の関係式により求める。
【０２２４】
【数３】
2005104979.tif 000007
【０２２５】
パーセンテージで表された組成物の移行は、次の比に等しい:
100 x ΔE1/ΔE2
【０２２６】
測定は続けて4つの支持体について実施され、移行値は、4つの支持体で得られた4つの測定値の平均に対応する。
【０２２７】
実施例2のリップスティックは、移行が、18%±2%である皮膜を形成する。
【実施例３】
【０２２８】
本発明に含まれないが、下の組成をもつリップスティックを調製した:
イソドデカン中50重量%の実施例1のブロックポリマー                       65g
水素添加ポリイソブチレン(PARLEAMオイル)                                27.8g
オクタドデカノー                                                       0.9g
フェニルシリコーンオイル(Dow Corning 556C)                             2.1g
ポリビニルピロリドン/エイコセンコポリマー(ISPのAntaron V220)           1.2g
顔料                                                                   3g
【０２２９】
実施例2のリップスティックと比べて、このリップスティックでは、非揮発性シリコーンオイルの含量がずっと少なく(27.8%に対して2.1%)、PARLEAMオイルの含量がずっと多い(2.1%に対して27.8%)。
【０２３０】
このリップスティックで得られる皮膜では、実施例2に記載されたものと同じ手順によって測定して、耐移行性は54%±1%である。このように、このリップスティックは、本発明による実施例2のリップスティックより、耐移行性で劣っている。
【外国語明細書】
2005104979.tif 000011
2005104979.tif 000012
2005104979.tif 000013
2005104979.tif 000014
2005104979.tif 000015
2005104979.tif 000016
2005104979.tif 000017
2005104979.tif 000018
2005104979.tif 000019
2005104979.tif 000020
2005104979.tif 000021
2005104979.tif 000022
2005104979.tif 000023
2005104979.tif 000024
2005104979.tif 000025
2005104979.tif 000026
2005104979.tif 000027
2005104979.tif 000028
2005104979.tif 000029
2005104979.tif 000030
2005104979.tif 000031
2005104979.tif 000032
2005104979.tif 000033
2005104979.tif 000034
2005104979.tif 000035
2005104979.tif 000036
2005104979.tif 000037
2005104979.tif 000038
2005104979.tif 000039
2005104979.tif 000040
2005104979.tif 000041
2005104979.tif 000042
2005104979.tif 000043
2005104979.tif 000044
2005104979.tif 000045
2005104979.tif 000046
2005104979.tif 000047
2005104979.tif 000048
2005104979.tif 000049
2005104979.tif 000050
2005104979.tif 000051
2005104979.tif 000052
2005104979.tif 000053
2005104979.tif 000054
2005104979.tif 000055
2005104979.tif 000056
2005104979.tif 000057
2005104979.tif 000058
2005104979.tif 000059
2005104979.tif 000060
2005104979.tif 000061
2005104979.tif 000062
2005104979.tif 000063
2005104979.tif 000064
2005104979.tif 000065
2005104979.tif 000066
2005104979.tif 000067
2005104979.tif 000068
2005104979.tif 000069
2005104979.tif 000070
2005104979.tif 000071
2005104979.tif 000072
2005104979.tif 000073
2005104979.tif 000074
2005104979.tif 000075
2005104979.tif 000076
2005104979.tif 000077
2005104979.tif 000078
2005104979.tif 000079
2005104979.tif 000080
2005104979.tif 000081
2005104979.tif 000082
2005104979.tif 000083
2005104979.tif 000084
2005104979.tif 000085
2005104979.tif 000086
2005104979.tif 000087
2005104979.tif 000088
2005104979.tif 000089
2005104979.tif 000090